(57)【要約】本開示は、少なくとも１つの内部空洞と、内部空洞と交差する通路とを有する、ガイド部材を含む、可変焦点レンズで使用するための密閉デバイスを提供する。ピンチ部材は、ガイド部材の内部空洞内で摺動可能に係合され、ピンチ部材の一部分は、通路にわたって、かつ内部空洞の一部分の中へと摺動し、通路を通って延在する流体管を変形及び密閉する。密閉デバイスを採用する１組の調整可能眼鏡もまた提供される。【選択図】図７
2015515024.tif 000002
【特許請求の範囲】
【請求項１】
密閉デバイスであって、
少なくとも１つの内部空洞と、前記内部空洞と交差する通路と、を有する、ガイド部材と、
前記ガイド部材の前記内部空洞内で、摺動可能に係合される、ピンチ部材と、を備え、
前記ピンチ部材の一部分が、前記通路にわたって、かつ前記内部空洞の一部分の中へと摺動し、前記通路を通って延在する流体管を変形及び密閉する、密閉デバイス。
【請求項２】
前記ピンチ部材がフランジを画定し、前記内部空洞がショルダーを画定し、前記ピンチ部材フランジが、前記ピンチ部材の移動を制限するように、前記内部空洞ショルダーと当接する、請求項１に記載の密閉デバイス。
【請求項３】
前記ピンチ部材が、円形縁部を有する端面を画定する、請求項１に記載の密閉デバイス。
【請求項４】
前記通路及び前記内部空洞の前記交点の少なくとも一部分が、円形表面を画定する、請求項１に記載の密閉デバイス。
【請求項５】
前記内部空洞及び前記ピンチ部材が、矩形断面を画定する、請求項１に記載の密閉デバイス。
【請求項６】
少なくとも１つの延長部が、前記ピンチ部材及び前記内部空洞のうちの一方の上に画定され、対応する陥凹部が、前記ピンチ部材及び前記内部空洞のうちの他方のうちの１つの中に画定され、前記延長部が、前記ピンチ部材を固定するために、かつ近位移動を阻止するために、前記陥凹部に係合する、請求項１に記載の密閉デバイス。
【請求項７】
前記延長部が、返し構成を画定する、請求項６に記載の密閉デバイス。
【請求項８】
前記延長部が前記陥凹部に係合するときに、触覚及び聴覚フィードバックのうちの少なくとも１つが提供される、請求項６に記載の密閉デバイス。
【請求項９】
間隙が、前記内部空洞の壁とその中を延在する前記ピンチ部材の一部分との間に画定され、前記間隙が、前記流体管の壁厚の約２倍未満である、請求項１に記載の密閉デバイス。
【請求項１０】
前記ガイド部材が単一統合部品である、請求項１に記載の密閉デバイス。
【請求項１１】
前記ガイド部材の前記内部空洞が、近位端部分から遠位端部分へと階段状構成を画定する、請求項１に記載の密閉デバイス。
【請求項１２】
前記内部空洞が、近位端部分から遠位端部分へと連続的に先細になる、請求項１に記載の密閉デバイス。
【請求項１３】
更に、
前記通路を通って延在する、第１の接続管と、
前記第１の接続管に固定される、第２の接続管と、を備え、
前記第１の接続管が前記第２の接続管内に配設され、それらの間に締まりばめを画定する、請求項１に記載の密閉デバイス。
【請求項１４】
前記第２の接続管が、前記第１の接続管上で焼ばめされる、請求項１３に記載の密閉デバイス。
【請求項１５】
前記第１の接続管が、屈曲部分において切り込みを画定する、請求項１３に記載の密閉デバイス。
【請求項１６】
１組の調整可能眼鏡であって、
フレーム部材と、
前記フレーム部材に固定される２つのサイドアームと、
前記フレーム部材内に配設される、２つの流体充填可変レンズと、
前記調整可能眼鏡の一部分に取り外し可能に固定される、２つのアジャスタ機構と、
前記アジャスタ機構から前記フレームを通って、前記流体充填可変レンズ中へと延在する、２組の接続管であって、各組の接続管が、第２の管内に配設される第１の管を備え、それらの間に締まりばめを画定する、２組の接続管と、
前記フレーム部材の対向端部に配設される、２つの密閉デバイスであって、それぞれが、
少なくとも１つの内部空洞と、前記内部空洞と交差する通路と、を有する、ガイド部材と、
前記ガイド部材の前記内部空洞内で、摺動可能に係合される、ピンチ部材と、を備える、２つの密閉デバイスと、を備え、
前記ピンチ部材の一部分が前記通路をわたって摺動し、前記通路を通って延在する前記第１の接続管及び前記第２の接続管のうちの少なくとも１つを変形及び密閉し、かつ前記第１の接続管及び前記第２の接続管の他方のうちの少なくとも１つを取り外し可能に取り外す、１組の調整可能眼鏡。
【請求項１７】
少なくとも１つの延長部が、前記ピンチ部材及び前記内部空洞のうちの一方の上に画定され、対応する陥凹部が、前記ピンチ部材及び前記内部空洞のうちの他方のうちの１つの中に画定され、前記延長部が、前記ピンチ部材を固定するために、かつ近位移動を阻止するために、前記陥凹部に係合する、請求項１６に記載の１組の調整可能眼鏡。
【請求項１８】
前記延長部が返し構成を画定する、請求項１７に記載の１組の調整可能眼鏡。
【請求項１９】
前記延長部が前記陥凹部に係合するときに、触覚及び聴覚フィードバックのうちの少なくとも１つが提供される、請求項１７に記載の１組の調整可能眼鏡。
【請求項２０】
前記ピンチ部材が更に、前記フレーム部材の色及び前記サイドアームの色とは異なる色を画定する、少なくとも１つの表面を備える、請求項１６に記載の１組の調整可能眼鏡。
【請求項２１】
前記ピンチ部材の密閉方向とは反対方向の前記ピンチ部材の移動を制限する、係止デバイスを更に備える、請求項１６に記載の１組の調整可能眼鏡。
【請求項２２】
前記ピンチ部材が、前記フレーム部材の後方部分に位置し、前記眼鏡の前面にわたって比較的平面的である密閉面を提供する、請求項１６に記載の１組の調整可能眼鏡。
【発明の詳細な説明】
【技術分野】
【０００１】
本開示は概して可変焦点レンズに関する。より具体的には、本開示は、流体充填可変焦点レンズを密閉するためのデバイスに関する。
【背景技術】
【０００２】
この項目における記載は、単に、本開示に関連する背景情報を提供しているにすぎず、先行技術を構成するわけではない。
【０００３】
流体充填調整可能眼鏡は、当該技術分野において既知であり、概して、個々の使用者／着用者の特有の矯正の必要性を満たすために、レンズ内の流体の圧力を調整することによって屈折力が変化するレンズを含む。これらの流体充填調整可能眼鏡は、多くの点で有利である。例えば、眼鏡の１つのモデルは、多くの着用者の必要性を満たすことができ、それは、離れた地域又は低開発地域における物流及び保管の課題を単純化する。これらの地域において、効率的な流通は、従来の眼鏡に必要とされる複雑かつ高価なインフラストラクチャを必要とすることなく、流体充填調整可能眼鏡で可能となる。
【０００４】
加えて、矯正眼鏡は、従来の眼鏡の処方一式のために、待つこと及び往復することを必要とすることなく、一度に提供される。更に、流体充填眼鏡は、単純に、試験及び調剤プロトコルを提供することによって、最小限の訓練を受けた専門家でない人によって提供され得、したがって、多くの場合において、有資格検眼士の必要性を排除する。この状況は、専門家のケア及び資金提供へのアクセスが厳しく制限される、離れた地域又は低開発地域において相当な利点を有する。
【発明の概要】
【発明が解決しようとする課題】
【０００５】
青少年及び若年成人は多くの場合、矯正眼鏡の設計及び流通のことになると見過ごされる。従来の処方眼鏡及び流体充填眼鏡の両方の大半は、典型的に平均的成人に対して設計される。結果として、青少年及び若年成人は多くの場合、きちんと合っていない、又は適切な屈折力を提供するように調整されていない眼鏡を使用し、したがって、彼らの視力の必要性は、いまだに課題である。
【課題を解決するための手段】
【０００６】
本開示の一形態では、少なくとも１つの内部空洞と、内部空洞と交差する通路とを有する、ガイド部材を備える、密閉デバイスが提供される。ピンチ部材が、ガイド部材の内部空洞内で摺動可能に係合され、ピンチ部材の一部分は、通路にわたって、かつ内部空洞の一部分の中へと摺動し、通路を通って延在する流体管を変形及び密閉する。以下の発明を実施するための形態及び特許請求の範囲に記載されるように、種々の形態の密閉デバイスが提供される。
【０００７】
別の形態では、フレーム部材と、フレーム部材に固定される、２つのサイドアームと、フレーム部材内に配設される、２つの流体充填可変レンズと、調整可能眼鏡の一部分に取り外し可能に固定される、２つのアジャスタ機構と、アジャスタ機構からフレームを通って流体充填可変レンズ中へと延在する、２組の接続管であって、接続管の各組が、第２の管内に配設される第１の管を備え、それらの間に締まりばめを画定する、２組の接続管とを備える、１組の調整可能眼鏡が提供される。２つの密閉デバイスは、フレーム部材の対向端部に配設され、密閉デバイスのそれぞれは、少なくとも１つの内部空洞と、内部空洞と交差する通路とを有するガイド部材を備え、ピンチ部材は、ガイド部材の内部空洞内で摺動可能に係合される。ピンチ部材の一部分は、通路にわたって摺動し、通路を通って延在する第１の接続管を変形及び密閉し、かつ第２の接続管の取り外し可能な取り外しを可能にする。後に続く発明を実施するための形態及び特許請求の範囲に記載されるように、種々の形態の１組の調整可能眼鏡もまた提供される。
【０００８】
本発明を適用する更なる分野は、本明細書において提供される説明から明かになるであろう。説明及び特定の例は、単なる例示を目的とするものであり、本開示の範囲を限定することを意図するものではないことを理解するべきである。
【図面の簡単な説明】
【０００９】
本明細書に記載の図面は、説明目的のみであり、本開示の範囲をいかようにも限定することを意図するものではない。
【図１】本開示の教示に従って製作される１組の調整可能眼鏡の斜視図である。
【図２】本開示の教示に従った、１組の調整可能眼鏡の部分分解斜視図である。
【図３】本開示の教示に従った、１組の調整可能眼鏡の正面図である。
【図４】本開示の教示に従った、１組の調整可能眼鏡の側面図である。
【図５】本開示の教示に従った、１組の調整可能眼鏡の背面図である。
【図６】本開示の教示に従った、１組の調整可能眼鏡の底面図である。
【図７】本開示の教示に従って製作される密閉デバイスの１つの載置構成を示す、拡大斜視図である。
【図８ａ】開放位置にあり、かつ本開示の教示に従って製作される、密閉デバイスの一形態の側面断面図である。
【図８ｂ】閉鎖位置にあり、かつ本開示の教示に従った、図８ａの密閉デバイスの側面断面図である。
【図９】本開示の教示に従って製作される２つの接続管の側面断面図である。
【図１０】本開示の教示に従って製作される、ガイド部材及びピンチ部材の一形態を示す、図８ｂの線１０−１０に沿った断面図である。
【図１１ａ】延長部及び陥凹部、より具体的には返し構成を有し、かつ本開示の教示に従って製作される、密閉デバイスの代替の形態である。
【図１１ｂ】外部係止デバイスを有し、かつ本開示の教示に従って製作される、密閉デバイスの更に別の形態である。
【図１２】連続的に先細の内部空洞を画定し、かつ本開示の教示に従って製作される、密閉デバイスの更に別の形態である。
【図１３ａ】本開示の教示に従って製作される、第１の接続管及び第２の接続管の別の形態の斜視図である。
【図１３ｂ】切り込みを有し、かつ本開示の教示に従って製作される、図１３ａの第１の接続管の斜視図である。
【図１４】本開示の教示に従って製作される密閉ボタンの別の形態の斜視図である。
【図１５】必要とされる幾何公差を低減するために金属構成要素を有し、かつ本開示の教示に従って製作される、別の形態の眼鏡の一部分の分解図である。
【発明を実施するための形態】
【００１０】
以下の記載は、本質的に単なる例示であり、決して本開示、その用途、又は使用を限定することを意図したものではない。説明全体を通して、対応する参照番号は、同様の又は対応する部分及び特徴を示すことを理解されたい。
【００１１】
図１〜６を参照すると、本開示に従った１組の調整可能眼鏡が図示され、概して、参照番号２０によって示される。示されるように、調整可能眼鏡２０は、フレーム部材２２と、フレーム部材２２に固定される、２つのサイドアーム２４と、フレーム部材２２内に配設される、２つの流体充填可変レンズ２６とを備える。一形態のサイドアーム２４は、ヒンジ部材２８（図２に最良に示される）を介して、フレーム部材２２にヒンジ固定されるが、しかしながら、サイドアーム２４は、本開示の範囲内にとどまりながら、別の方法でフレーム部材２２に定着又は固定されてもよいことを理解されたい。
【００１２】
図２に示されるように、流体充填可変レンズ２６は概して、硬質レンズ２５と、支持リング２７と、支持リングに固定される可撓性膜２９とを含む。この流体充填可変レンズ２６の構成及び製造の更なる詳細は、「Ｍｅｔｈｏｄ  ｏｆ  Ｆｏｒｍｉｎｇ  Ｖａｒｉａｂｌｅ  Ｆｏｃｕｓ  Ｅｙｅｗｅａｒ」と題する同時係属出願により詳細に記載され、それは、本明細書と同時に出願され、かつ本願と同一譲受人に譲渡され、その内容は、参照することにより全体として本明細書に組み込まれる。
【００１３】
２つのアジャスタ機構３０は、調整可能眼鏡２０の一部分に取り外し可能に固定される。より具体的には、この形態において、アジャスタ機構３０は、可撓性保持クリップ３２を使用してサイドアーム２４に取り外し可能に固定される。アジャスタ機構３０は概して、アクチュエータ３４を含み、それはこの形態において、鏡筒３６内の流体圧力を増加又は減少させるように回転される、手動ノブである。この形態におけるアクチュエータ３４は、流体圧力のより容易な調整のために、着用者に改善された把持を提供するために、示される非平坦外表面を含む。
【００１４】
図３及び６で最良にわかるように、接続管３８は、鏡筒３６からフレーム部材２２中へと延在する。この接続管３８は、アジャスタ機構３０から流体充填可変レンズ２６中への流体の流動のための導管であり、その動作は、以下により詳細に記載される。接続管３８は概して、鏡筒３６及びフレーム２２の両方の中に形成される開口部３９中に配置されるようにサイズ決定され（図６の左側に示される）、したがって接続管３８は調整可能眼鏡２０に容易に取り付けられ、かつそれから除去される。
【００１５】
２つの密閉デバイス４０は、フレーム部材２２の対向端部に配設され、それらは、いったん適切な屈折力が設定されると作動させる。より具体的には、密閉デバイス４０は、流体充填可変レンズ２６内の流体を密閉し、接続管３８及びアジャスタ機構３０の取り外しを可能にする。有利に、密閉デバイス４０は、「工具不要」であり、流体充填可変レンズ２６内の流体を密閉するために、スクリュドライバ又は六角棒等の任意のツールを必要としない。密閉デバイス４０は、手動で簡単に作動され、更にここで、密閉デバイス４０の動作が図７〜９を参照してより詳細に記載される。
【００１６】
密閉デバイス４０は概して、示されるように、内部空洞４４と、内部空洞４４と交差する通路４６とを有する、ガイド部材４２を含む。通路４６は直角に内部空洞４４と交差するように、又は内部空洞４４に対して垂直であるように示されるが、内部空洞４４に対する通路４６のあらゆる配向が本開示の教示に従って採用され得ることを理解されたい。
【００１７】
ピンチ部材５０は、ガイド部材４２の内部空洞４４内で摺動可能に係合される。示されるように、図８ａ〜図８ｂに移動するとき、ピンチ部材５０は押し下げられ、ピンチ部材５０の一部分は、通路４６にわたって、内部空洞４４の部分５２中へと摺動し、通路４６を通って延在する第１の接続管５４（又は流体管）を変形及び密閉する。第１の接続管５４が密閉された後、第２の接続管５６（接続管３８としてすでに図示される）は、すでに記載されたアジャスタ機構３０と共に、図８ｂに示されるように取り外されてもよい。
【００１８】
一形態のピンチ部材５０は、その近位端部分６２の周囲に配設されるフランジ６０を含み、内部空洞４４は、その近位端部分６６の周囲に対応するショルダー６４を画定する。（本明細書で使用される場合、用語「近位の」又は「近位に」は、図８ａ中で矢印Ｘの方向のように解釈されるべきであり、用語「遠位の」又は「遠位に」は、図８ａ中で矢印Ｙの方向のように解釈されるべきである）。したがって、ピンチ部材５０のフランジ６０は、図８ｂに示されるように、ピンチ部材５０の遠位移動を制限するために、内部空洞４４のショルダー６４と当接する。加えて、一形態のこのフランジ６０の側面６７は、図１及び７に示される赤色等、フレーム部材２２及び／又はサイドアーム２４の色とは異なる色を画定する。したがって、ピンチ部材５０が開放位置（色を示す）にあるとき、及びそれが閉鎖位置にある（色を示さない）とき、視覚的印が提供される。また、図１〜７に示される別個のボタンがピンチ部材５０を作動させるために採用されてもよく、この別個のボタン５１もまた、同様に着色されてもよいことも理解されたい。
【００１９】
更に示されるように、一形態のピンチ部材５０は、その端面７０の周囲に円形縁部６８を画定し、第１の接続管５４とのより円滑な係合を提供し、かつ第１の接続管５４を穿刺するリスクを低減する。同様に、内部空洞４４の遠位内縁部７２もまた同じ理由で円形である。しかしながら、本開示の範囲内にとどまりながら、円形又は丸みを帯びた縁部以外の他の形状が採用されてもよいことを理解されたい。例えば、面取り部又は多角形表面が本開示の代替の形態で採用されてもよい。
【００２０】
図９に示されるように、密閉デバイス４０は、第１の接続管５４及び第２の接続管５６の両方を含む。一形態では、第１の接続管５４は、示されるように第２の接続管５６内に配設され、締まりばめを画定する。結果的に、第２の接続管５６は、示されるように第１の接続管５４に入るように塑性的に変形される。したがって、空気及び流体密封界面が、２つの管５４と５６との間に画定される。また、本開示の範囲内にとどまりながら、第１の接続管５４が第２の接続管５６に入るように塑性的に変形されてもよく、ピンチ部材５０が管のいずれかを変形させてもよいことも理解されたい。一形態では、適切かつ強固な密閉を提供するために、第１の接続管５４と第２の接続管５６との間に約３〜５ｍｍの重なりＤが提供される。しかしながら、本開示の範囲内にとどまりながら、他の重なりが提供されてもよいことを理解されたい。更に、界面を緊密に固定するために、第１の接続管５４及び第２の接続管のいずれか又は両方は、表面プライマー等のコーティングが提供されてもよい。
【００２１】
図７を再び参照すると、フレーム部材２２に組み立てられる／固定されるとき、第１の接続管５４が完全にフレーム部材２２内に配設される一方で、第２の接続管５６は、フレーム部材２２と鏡筒３６との間で大部分が露出される。管５４及び５６は、流体充填可変レンズ２６を充填するために使用されるシリコーン流体と適合する任意の材料であってもよい。例えば、そのような材料としては、ナイロン及びＰＴＦＥ（ポリテトラフルオロエチレン）又はＦＥＰ（フッ素化エチレンプロピレン）等のフッ素重合体が挙げられ得るが、これらに限定されない。加えて、管は、永久的な接合／結合がそれらの間に形成されるリスクを低減するために、異なる材料で作られてもよいことが想到される。
【００２２】
本開示の代替の形態において、第２の接続管５６は、例として、ポリビニリデンフルオリド又はポリビニリデンジフルオリド（ＰＶＤＦ）等、焼ばめ材料である。焼ばめ材料として、重なりＤはより容易に達成され、第２の接続管５６は、縮む又は捻じれる可能性が低い。
【００２３】
ここで図１０を参照すると、本開示の一形態の内部空洞４４及びピンチ部材５０の両方は、矩形断面を画定する。加えて、間隙７４が、内部空洞４４の壁７６とその中に延在するピンチ部材５０の一部分との間に画定される。一形態では、この間隙７４は、第１の接続管５４の壁厚の約２倍未満である。
【００２４】
図１１ａ及び１１ｂを参照すると、密閉デバイス４０はまた、その移動と反対方向のピンチ部材の移動を制限するための特徴を含んでもよい。例えば、図１１ａに示されるように、少なくとも１つの延長部８０が、ピンチ部材５０及び内部空洞中の対応する陥凹部８２上に画定される。ピンチ部材５０が押し下げられると、延長部８０は、陥凹部８２と係合し、ピンチ部材５０を固定し、近位移動を阻止する。返し構成がこの形態で示されるが、少なくとも１つの延長部が、ピンチ部材又は内部空洞のいずれか上に画定されてもよく、対応する陥凹部が、ピンチ部材又は内部空洞の他方上に画定されてもよいことを理解されたい。結果的に、本明細書に例示及び記載される特定の構成は、本開示の範囲を制限するものと解釈されるべきではない。
【００２５】
本明細書に例示される返し構成及び同様に他の構成によって、十分な密閉が行われたことを示すために、「クリック」等の触覚フィードバックが使用者に提供され得、したがって第２の接続管５６及びアジャスタ機構３０の安全な取り外しを可能にする。聴覚フィードバック等の代替の形態のフィードバックもまた提供されてもよく、それは密閉デバイス４０内に埋め込まれた内部マイクロチップが提供され得る。
【００２６】
図１１ｂに示されるように、密閉デバイス４０の外部にある係止デバイス８４が採用されてもよい。この形態では、係止デバイス８４は、ガイド部材４２及びピンチ部材５０を通る対応する穴又は開口部と係合する、ピン又はシャフトを画定する。そのような係止デバイス８４は例示的なものにすぎず、磁気手段が挙げられるが、これに限定されない、採用され得る外部係止デバイスの種類を限定するものと解釈されるべきではない。
【００２７】
ここで図１２を参照すると、代替の形態のガイド部材４２’及びピンチ部材５０’が示され、それは、すでに例示及び記載された階段状構成の代替の形状を画定する。示されるように、内部空洞４４’は、その近位端部分６６’からその遠位端部分６７’へと連続的に先細になっている。ピンチ部材５０’は同様に、その移動を制限するために先細になっている。そのような形態は、本開示の教示を実施するために採用され得る多くのうちの１つにすぎず、したがって、階段状及び先細構成は例示的なものにすぎず、本開示の範囲を限定するものと解釈されるべきではないことを理解されたい。
【００２８】
１つの内部空洞４４及び１つのピンチ部材５０のみが示され記載されているが、密閉デバイスは、本開示の教示に従って、接続管を密閉するために、２つ以上の内部空洞４４、及びそこを横断する対応する２つ以上の部材を含んでもよいことを理解されたい。また、ガイド部材４２が単一統合部品として示されているが、本開示の範囲内にとどまりながら、ガイド部材４２が複数の部品であってもよいことを理解されたい。ガイド部材４２及びピンチ部材５０の両方が、一形態においてポリカーボネート又はポリプロピレン等、熱硬化性又は熱可塑性材料のいずれかである。
【００２９】
ここで図１３ａ及び１３ｂを参照すると、別の形態の第１の接続管５４’及び第２の接続管５６’が、それらの組立体の屈曲部分９０の周囲に重なりＤを有して示される。この形態では、図１３ｂに示されるように、第１の接続管５４’は、屈曲部分９０において切り込み９２を画定し、それは、重なりＤ内に位置付けられる。この切り込み９２は、着用者のテンプル領域におけるより急な曲げ半径を可能にし、それは、より審美的に満足のいく外観を提供する。加えて、切り込み９２は、改善された接続を提供し、したがって、管５４’及び５６’が不注意で引き離されるリスクを低減する。
【００３０】
図１４を参照すると、別の形態の密閉ボタンが例示され、概して参照番号１００によって示される。この密閉ボタン１００は、示されるように、フレーム部材２２の後方部分に位置し、眼鏡の前面にわたって比較的平面的である密閉面を提供する。この密閉位置において、フレーム部材２２は、サイドアーム２４が外向きに開放されたとき、屈曲に対してより抵抗力がある。加えて、この形状は、成型中により容易に形成され、密閉ボタン５１の以前の形態のようにサイドコアを必要としない。
【００３１】
図１５に更に示されるように、雌部材逆止めのための金属構成要素１２０が提供され、それは、フレーム２２内で必要とされる幾何公差を減少させる。
【００３２】
本発明の様々な形態の上記の説明は、例示及び説明を目的として提示されている。それは、網羅的であること、又は本発明を開示された明確な形態に制限することを意図するものではない。上記の教示を踏まえて、多くの改変又は変更が可能である。考察された形態は、本発明の原理及びその実際的な適用の最良の例示を提供するように選択及び記載され、それにより当業者は、様々な形態で、かつ想定される特定の使用に適した様々な修正と共に、本発明を利用することが可能となる。そのような修正及び変更の全ては、それらが公正に、法律的に、かつ公平に権利を与えられた広さに従って解釈された場合、添付の特許請求の範囲により決定される本発明の範囲内に含まれる。
【図１】
2015515024.tif 000003
【図２】
2015515024.tif 000004
【図３】
2015515024.tif 000005
【図４】
2015515024.tif 000006
【図５】
2015515024.tif 000007
【図６】
2015515024.tif 000008
【図７】
2015515024.tif 000009
【図８ａ】
2015515024.tif 000010
【図８ｂ】
2015515024.tif 000011
【図９】
2015515024.tif 000012
【図１０】
2015515024.tif 000013
【図１１ａ】
2015515024.tif 000014
【図１１ｂ】
2015515024.tif 000015
【図１２】
2015515024.tif 000016
【図１３ａ】
2015515024.tif 000017
【図１３ｂ】
2015515024.tif 000018
【図１４】
2015515024.tif 000019
【図１５】
2015515024.tif 000020
【国際調査報告】
2015515024.tif 000021
2015515024.tif 000022
2015515024.tif 000023
2015515024.tif 000024